(57)【特許請求の範囲】
【請求項１】
６０％〜８５％ｖ／ｖのフィッシャー−トロプシュ（ＦＴ）反応／ＧＴＬ由来のディーゼル燃料；
ソヤメチルエステル（大豆油メチルエステル）及び／又はパーム油メチルエステル及び／又はヤトロファ（ナンヨウアブラギリ）油メチルエステルを含む脂肪酸メチルエステル類であって、−５℃よりも高い目詰まり点をもつ脂肪酸メチルエステル類を含む１０％〜３０％ｖ／ｖのバイオディーゼル燃料；及び
０．２％〜３％ｖ／ｖの、３〜１５の炭素原子を有するアルコール成分
を含み、
６５℃以上の引火点を有し、且つ、−１１℃以下の目詰まり点を有する、代替ディーゼル燃料ブレンド物。
【請求項２】
前記バイオディーゼル燃料が、パーム油メチルエステルを含む、請求項１に記載の代替ディーゼル燃料ブレンド物。
【請求項３】
前記アルコール成分が、３〜９の炭素原子を有する高級アルコール（１種又は複数）を含む、請求項１又は２に記載の代替ディーゼル燃料ブレンド物。
【請求項４】
前記アルコール成分が、３〜６の炭素原子を有するアルコール（１種又は複数）を含む、請求項３に記載の代替ディーゼル燃料ブレンド物。
【請求項５】
アルコール成分が、少なくとも２０％ｖ／ｖのものが分岐しているアルコール類である、請求項１〜４のいずれか一項に記載の代替ディーゼル燃料ブレンド物。
【請求項６】
アルコール成分が、少なくとも５０％ｖ／ｖのものが分岐しているアルコール類である、請求項５に記載の代替ディーゼル燃料ブレンド物。
【請求項７】
フィッシャー−トロプシュ反応由来のディーゼル燃料が、ＣＯＤディーゼル燃料である、請求項１〜６のいずれか一項に記載の代替ディーゼル燃料ブレンド物。
【請求項８】
７０％ｖ／ｖのディーゼル燃料を含む、請求項１〜７のいずれか一項に記載の代替ディーゼル燃料ブレンド物。
【請求項９】
脂肪酸メチルエステル類を含有する３０％ｖ／ｖのバイオディーゼル燃料を含む、請求項１〜８のいずれか一項に記載の代替ディーゼル燃料ブレンド物。
【請求項１０】
６０％〜８５％ｖ／ｖのフィッシャー−トロプシュ（ＦＴ）反応／ＧＴＬ由来のディーゼル燃料；及び
ソヤメチルエステル（大豆油メチルエステル）及び／又はパーム油メチルエステル及び／又はヤトロファ（ナンヨウアブラギリ）油メチルエステルを含む脂肪酸メチルエステル類であって、−５℃よりも高い目詰まり点をもつ脂肪酸メチルエステル類を含む１０％〜３０％ｖ／ｖのバイオディーゼル燃料
を含み、６５℃以上の引火点を有し、且つ、−１１℃以下の目詰まり点を有する、代替ディーゼル燃料ブレンド物の目詰まり点を改善する方法であって、
３〜１５の炭素原子を有するアルコール成分を前記代替ディーゼル燃料ブレンド物に０．２％〜３％ｖ／ｖの量で添加する、方法。
【請求項１１】
前記バイオディーゼル燃料が、パーム油メチルエステルを含む、請求項１０に記載の方法。
【請求項１２】
前記アルコール成分が、３〜９の炭素原子を有するアルコール（１種又は複数）を含む、請求項１０又は１１に記載の方法。
【請求項１３】
前記アルコール成分が、３〜６の炭素原子を有するアルコール（１種又は複数）を含む、請求項１２に記載の方法。
【請求項１４】
前記アルコール成分が、少なくとも２０％ｖ／ｖのものが分岐しているアルコール類である、請求項１０〜１３のいずれか一項に記載の方法。
【請求項１５】
前記アルコール成分が、少なくとも５０％ｖ／ｖのものが分岐しているアルコール類である、請求項１４に記載の方法。
【請求項１６】
前記ディーゼル燃料がＣＯＤディーゼル燃料である、請求項１０〜１５のいずれか一項に記載の方法。
【請求項１７】
７０％ｖ／ｖのディーゼル燃料が、脂肪酸メチルエステル類を含む３０％ｖ／ｖのバイオディーゼル燃料とブレンドされる、請求項１０〜１６のいずれか一項に記載の方法。
【発明の詳細な説明】
【技術分野】
【０００１】
バイオディーゼル燃料
【背景技術】
【０００２】
バイオディーゼルは、植物油又は動物脂肪から誘導された代替ディーゼル燃料である。アルコール（通常はメタノールであるが、いくつかの場合には、より長鎖のアルコール類）による油又は脂肪のエステル交換が、バイオディーゼルとして知られる脂肪酸メチルエステル類（fatty acid methyl ester, ＦＡＭＥ）をもたらす。
【０００３】
バイオディーゼルはそれ自身で使用することができるが、それはまた、従来のディーゼル燃料基剤（ディーゼル燃料ベース）と混合されてバイオディーゼルブレンド物が形成される。しかし、ディーゼル燃料ベースに比較的高い割合でバイオディーゼルを添加することは、劣った低温流動性をもつブレンド物をもたらす。寒冷な気候では、そのような燃料は、粒子、主にワックス結晶によるディーゼル噴射ノズルの閉塞をもたらすおそれがある。このことが、バイオディーゼルブレンド物に添加できる脂肪酸メチルエステル類（ＦＡＭＥ）の量と種類に制限を加えている。このことは、大部分が飽和している脂肪酸メチルエステル類について特にあてはまる。低温フィルター閉塞点（目詰まり点、ＣＦＰＰ）添加剤が、ＣＦＰＰ改善のために用いられるが、そのような添加剤はＦＡＭＥ類の存在下及びそのブレンド物ではうまく機能しない。
【発明の概要】
【発明が解決しようとする課題】
【０００４】
本発明の目的は上記の問題に対処することである。
【課題を解決するための手段】
【０００５】
［本発明のまとめ］
本発明によれば、
脂肪酸メチル又はエチルエステル類を典型的には含むバイオディーゼル、
及び
そのバイオディーゼルの生来の成分ではない、添加されたアルコール成分、
を含む代替ディーゼル燃料が提供される。
【０００６】
このバイオディーゼルは、脂肪酸メチルエステル類、特に、−５℃よりも高い劣った低温流動性をもつ脂肪酸メチルエステル類、例えば、ソヤメチルエステル（大豆油メチルエステル）（−２℃）及び／又はパーム油メチルエステル（１０℃）及び／又はヤトロファ（ナンヨウアブラギリ、Jatropa）油メチルエステルを含む。
【０００７】
上記アルコール成分は、３つ以上の炭素原子を有する、より高級なアルコール類、典型的には３〜１５、好ましくは３〜９、最も好ましくは３〜６の炭素原子を有するアルコール類を含むことが好ましい。
【０００８】
上記代替ディーゼル燃料は、０．２％〜５％ｖ／ｖのアルコール成分、最も好ましくは０．５％〜３％ｖ／ｖのアルコール成分を含むことが好ましい。
【０００９】
上記代替ディーゼル燃料は、以下の： 
フィッシャー−トロプシュ（ＦＴ）反応に由来し、且つ粗製物由来ディーゼル燃料（crude-derived diesel fuel）を含むか又は含有してもよいディーゼル燃料；
脂肪酸メチル又はエチルエステル類を典型的には含むバイオディーゼル；及び
１種のアルコール又は複数のアルコール類、
を含むディーゼル燃料ブレンド物であることができる。
【００１０】
典型的には、このディーゼル燃料ブレンド物は、６０％〜９０％、好ましくは約７０％ｖ／ｖのディーゼル燃料と、１０％〜４０％、好ましくは約３０％ｖ／ｖのバイオディーゼルとを含む。
【００１１】
ディーゼル燃料ブレンド物は、ＧＴＬ由来ディーゼル燃料、例えば、オレフィンの蒸留留分への転化（Conversion of Olefins to Distillate, COD）によるＦＴディーゼルであってよい。
【００１２】
本発明は、代替ディーゼル燃料の目詰まり点を改善する方法に関し、この方法ではバイオディーゼル燃料（典型的には脂肪酸メチル又はエチルエステル類を含む）にアルコール成分が添加される。
【００１３】
上記バイオディーゼルは、脂肪メチルエステル類、特に、−５℃よりも高い劣った低温流動特性をもつ脂肪メチルエステル類、例えば、ソヤメチルエステル（大豆油メチルエステル）（−２℃）及び／又はパーム油メチルエステル（１０℃）及び／又はヤトロファ（ナンヨウアブラギリ、Jatropa）油メチルエステルを含む。
【００１４】
上記アルコール成分は、３つ以上の炭素原子を有する高級アルコール（１種又は複数）であるアルコール（１種又は複数）、典型的には３〜１５、好ましくは３〜９、最も好ましくは３〜６の炭素原子を有するアルコール類を含むことが好ましい。アルコール成分は、少なくとも２０％ｖ／ｖ、好ましくは少なくとも５０％ｖ／ｖが分枝状のアルコール類であることができる。
【００１５】
好ましくは、アルコール成分は、上記代替ディーゼル燃料の０．２％〜５％ｖ／ｖ、最も好ましくは０．５％〜３％ｖ／ｖ含まれる。
【００１６】
代替ディーゼル燃料は、典型的には、ディーゼル燃料ブレンド物であって、さらにフィッシャー−トロプシュ（ＦＴ）反応に由来するディーゼル燃料を含み、且つ粗製物由来ディーゼル燃料を含むか又は含有していてもよい。
【００１７】
典型的には、６０％〜８０％、好ましくは約７０％ｖ／ｖのディーゼル燃料が、２０％〜４０％、好ましくは約３０％ｖ／ｖのバイオディーゼルとブレンドされる。
【００１８】
ディーゼル燃料は、フィッシャー−トロプシュ（ＦＴ）反応に、最も好ましくはＧＴＬ  ＦＴ反応に由来することが好ましい。
【図面の簡単な説明】
【００１９】
【図１】図１は、ディーゼル燃料ブレンド物における目詰まり点(Cold Filter Plugging Point, CFPP)（℃）への高級アルコール類の影響を示すグラフである。
【図２】図２は、ディーゼル燃料ブレンド物の引火点（Flash Point）への高級アルコール類の影響を示すグラフである。
【図３】図３は、ディーゼル燃料ブレンド物のセタン価（Cetane No）への高級アルコール類の影響を示すグラフである。
【図４】図４は、ディーゼル燃料ブレンド物のＮＯｘ車両排出への高級アルコール類の影響を示すグラフである。
【図５】図５は、ディーゼル燃料ブレンド物のＣＯ車両排出への高級アルコール類の影響を示すグラフである。
【図６】図６は、ディーゼル燃料ブレンド物のＣＯ２車両排出への高級アルコール類の影響を示すグラフである。
【図７】図７は、ディーゼル燃料ブレンド物のＨＣ＋ＮＯｘ排出の両方への高級アルコール類の影響を示すグラフである。
【図８】図８は、ディーゼル燃料ブレンド物のＰＭ車両排出への高級アルコール類の影響を示すグラフである。
【発明を実施するための形態】
【００２０】
［本発明の詳細な説明］
本発明は代替燃料の製造に関する。代替燃料は、実質的に非粗製物(non-crude)系の燃料、例えば、バイオディーゼル、フィッシャー−トロプシュ合成由来の燃料、ＣＯＤディーゼル、及びそれらのディーゼル燃料ブレンド物である。
【００２１】
フィッシャー−トロプシュ（ＦＴ）合成には、高級炭化水素生成物への一酸化炭素と水素（合成ガス）の転化が含まれる。
【００２２】
低温フィッシャー−トロプシュ（ＬＴＦＴ）合成の場合は、ワックスは最後から２番目の生成物である。ワックスは水素化分解によって高品質輸送燃料、主にディーゼル燃料として用いるための短い鎖へと転化される。高温フィッシャー−トロプシュ（ＨＴＦＴ）合成については、蒸留物及びナフサが製造される。これらはディーゼル燃料及びガソリンへと改質される。両方のＦＴ工程時に、様々な鎖長のアルコール類が生成する。
【００２３】
ＦＴ触媒は、典型的には、様々な耐火性担体、例えば、アルミナ、シリカ、チタニアなどの上に担持される。第VIII族の耐火物担持金属が、ＦＴ反応を触媒するために用いられる。これらには、コバルト、鉄、及びルテニウムなど、又はそれらの２種以上の混合物が含まれる。促進剤が触媒に添加されてもよく、それには、ルテニウム、パラジウム、白金、レニウム、ランタン、及びジルコニウムが含まれる。
【００２４】
合成ガス（Syngas）は、ガス化によって石炭から、リフォーミング又は接触部分酸化によって天然ガスから得ることができる。ガスから液体への（Gas to Liquid, GTL）技術は、天然ガスから生成した合成ガスからのＦＴ反応における液状生成物の形成である。全体としては、そのようなＧＴＬ法は、３種の主要要素から構成されると考えることができ、それはすなわち、合成ガスへの天然ガスのリフォーミング、フィッシャー−トロプシュ生成物への合成ガスのさらなる転化、並びに、とりわけ主にＦＴ由来のディーゼル、ガソリン、オレフィン類、及びアルコール類を作るための炭化水素の後処理、である。
【００２５】
好ましいディーゼル燃料は、国際公開ＷＯ０６０６９４０７号パンフレットに記載されたＣＯＤ法に由来する、合成によって誘導されたディーゼル燃料であり、これによれば、軽質オレフィン類（Ｃ３〜Ｃ１０）がゼオライト型触媒上でオリゴマー化される。このＣＯＤ生成物から分画された蒸留物は１５０〜３６０℃の沸騰範囲であることができ、１８０〜３６０℃の沸騰範囲が好ましい。そのような蒸留物は、水素処理され、好ましいディーゼル沸騰範囲に分画される。この炭化水素組成物は、以下の成分から構成されうる：n-パラフィン（＜１０％）、イソパラフィン（５０〜８０％）、環状パラフィン（５〜３０％）、及びモノ芳香族（３〜１５％）。モノ芳香族（１つの環）は、水素化によって環状パラフィンに転化され、ほとんどゼロの芳香族含有量をもたらしうる。ＣＯＤフィードに応じて、いくらかの酸素化物が存在しうる（＜１０％）（酸素化物(oxygenate)を含むフィードはこれに影響を及ぼす可能性があるが、水素化はこれらを転化しうる）。このディーゼル燃料は硫黄を含まず、優れた低温流動性（ＩＰ３０９によって試験して、−３５℃未満、さらには−４５℃未満のＣＦＰＰ(目詰まり点)）を有する。
【００２６】
本発明者らは、ディーゼルブレンド物中のバイオディーゼルブレンド成分としてパーム油メチルエステルを用いることが有利であり、なぜならそれは容易に入手でき且つその他の植物油よりも１エーカー（４０４７ｍ２）当たり、より多い収量を生み出すからであるという事実を突き止めた。しかし、バイオディーゼル燃料には、−５℃よりも高いＣＦＰＰを有する「重い」脂肪酸メチルエステル類（ＦＡＭＥ）をバイオディーゼル成分として用いた場合は、低温流動性に関連する問題（流動点、曇り点、及び目詰まり点（Cold Filter Plugging Point、ＣＦＰＰ））がある。バイオ燃料ブレンド成分としてのパーム油メチルエステル（ＰＭＥ）に内在する問題は、それが劣る低温流動性（１０℃のＣＦＰＰ（目詰まり点））を持つことであり、このことは、そのままで燃料として用いた場合は、１０℃より低い天候では手軽に使用することができず、したがって厳しく制限された市場の可能性しかないことを意味する。まだましではあるが、ソヤ（大豆）メチルエステルは−２℃のＣＦＰＰをもち、これも寒冷な気候では問題がある（ヨーロッパの冬には典型的には−１５℃のＣＦＰＰが必要であり、一方ヨーロッパの夏には−５℃のＣＦＰＰが必要である）。
【００２７】
本発明にしたがって、本発明者らは、ブレンド物の低温流動性を改善するための成分として高級アルコール類を添加することによって、高いＣＦＰＰの問題に対処することができた。「高級アルコール」とは、３つ以上の炭素原子をもつアルコール類を意味する。
【００２８】
本発明によれば、改良されたディーゼル燃料ブレンド物は、ディーゼル燃料、好ましくはフィッシャー−トロプシュ（ＦＴ）反応に由来するディーゼル燃料、脂肪酸メチルエステル類、及びアルコール成分を含む。このアルコール成分は添加されており、バイオディーゼルあるいはディーゼル燃料の生来の成分ではない。
【００２９】
ディーゼル燃料（これはＧＴＬ由来ディーゼル燃料であってもよい）は、典型的には、ブレンド物の約７０％ｖ／ｖで含まれる。このブレンド物は、粗製物由来のディーゼル燃料(crude-derived diesel fuel)を一部分含んでいてもよい。
【００３０】
脂肪酸メチルエステル類（ＦＡＭＥ）は、典型的には、ブレンド物の約３０％ｖ／ｖで含まれ、植物油から誘導されることができ、例えば、パーム油メチルエステル（ＰＭＥ）及び／又は大豆油メチルエステル（ＳＭＥ）などであってよい。
【００３１】
以下の表１は、本発明での使用に適したＦＡＭＥを調製するために用いられる植物油のタイプを記載している。
【００３２】
【表１】
0005748408.tif 000002
【００３３】
ブレンド物に添加されるアルコール成分は、典型的には、高級アルコールを含み（「含み」は、アルコール成分の８０％ｖ／ｖより多く、好ましくは９０％ｖ／ｖより多くが高級アルコールから構成されることを意味する）、ブレンド物に低パーセント体積で、例えばブレンド物の０．２％〜５％ｖ／ｖ、典型的には０．５％〜３％ｖ／ｖでブレンド物に添加される。アルコール成分は、少なくとも２０％、好ましくは少なくとも５０％が、分岐したアルコール類であることができ、分岐は主に（即ち５０％より多くが）メチル分岐である。
【００３４】
実施例から明らかなとおり、モスタノール１２０（Mosstanol(登録商標)120）アルコールの０．５％の添加は、−２℃から−１１℃への試験ブレンド物のＣＦＰＰの大きな改善をもたらし、この９℃の低下は従来技術で報告されたものよりもはるかに良好である。さらに、これは、その他の必要とされる燃料の仕様を損なうことなく達成される。この高級アルコールは、添加した０．５〜１％のｖ／ｖ（体積／体積）のアルコール当たり９℃の低下によってブレンド物の低温流動性を改善する。
【００３５】
高級アルコールの添加のその他の利点は、それがディーゼルの泡立ちを低減し、さらにディーゼルのヘーズ（水）も低減することであり、なぜならアルコールはディーゼル中に懸濁した水滴をなくすことができるからである。
【００３６】
図４〜７からは、高級アルコールの添加が以下のことを示すことも明らかである：
ほとんどのディーゼル排出物、例えば、一酸化炭素（ＣＯ）、二酸化炭素（ＣＯ２）、炭化水素（ＨＣ）、及び粒子状物質（ＰＭ）などを著しく低減する。バイオ成分（ＦＡＭＥ）を燃料に添加した場合に通常は増加する窒素酸化物（ＮＯｘ）排出が逆の効果になる。最終的に一緒にしたＮＯｘ＋ＨＣ排出が、０．３ｇ／ｋｇ未満のユーロ４自動車排出規格（Euro 4 Vehicle Emission Specification）に適合し、これは最大２７％ｖ／ｖのＦＡＭＥを含むブレンド物についてである（９％ＰＭＥ；１８％ＳＭＥ；７０％ＧＴＬ、及び３％重質アルコール）。
【００３７】
高級アルコール又は高級アルコール類を含む本発明のブレンド物は、この高級アルコール又は高級アルコール類を含まないディーゼル及びＦＡＭＥのブレンド物に対して以下の利点を有する：
・改善されたＣＦＰＰ（より低温での使用）
・改善された曇り点（より低温での使用）
・低減された粒子状物質の排気管からの排出
・わずかに増大したセタン価（より良好な燃焼特性）
・低減したディーゼル泡立ち（より容易なタンク充填）
・水存在下での低減したディーゼルのヘーズ（ＦＡＭＥ処理工程から存在しうる水の存在の清澄化）
・高価な低温流動性能添加剤の必要性の低減
【００３８】
上述した本発明はディーゼル燃料ブレンド物に関するものであるが、本発明は代替ディーゼル燃料と、上述したアルコール成分を上述した量で添加することによるバイオディーゼル燃料のＣＦＰＰの改善に広く展開される。
【００３９】
本発明を、以下の非限定的実施例に基づいてより詳細に説明する。
【実施例】
【００４０】
一連のバイオディーゼル燃料ブレンド物を、ベース燃料としてフィッシャー−トロプシュ／ガス・トゥー・リキッド（Gas-to-Liquid）由来ディーゼルを用いて調製した。この試験のために、オレフィン転化ＦＴディーゼル（Conversion of Olefins (COD)）を用いた。ＦＴ−ＣＯＤディーゼルは、その高いイソパラフィン性によって本質的に良好な低温流動性を有する。ＦＴ−ＣＯＤディーゼルは、ＦＴ誘導ワックスをクラッキング及び異性化させることによってディーゼルに性能向上されたその他のＦＴディーゼルと概ね類似している。
【００４１】
ブレンド物に用いたＦＡＭＥは、パーム油メチルエステル（ＰＭＥ）及び大豆油メチルエステル（ＳＭＥ）を含んでいた。
【００４２】
低体積パーセントの高級アルコール類（炭素数３〜炭素数６）をブレンド物に添加した。
【００４３】
この目的は、どのようなさらなる変性もなしに、既存の運輸市場で使用されうる代替バイオディーゼル燃料を作り出すことである。さらに、この燃料はＰＭＥの使用を最大化するとともに、優れた運転性能と優れた排気をもたらす。最後になるが、この燃料は粗製物由来ディーゼル(crude derived diesel)とブレンドされうる。
【００４４】
ブレンド物は以下の表２に示した体積比で調製した。
【００４５】
【表２】
0005748408.tif 000003
【００４６】
下の表３は、Mosstanol P（登録商標）の典型的な組成を提供する。
【００４７】
【表３】
0005748408.tif 000004
【００４８】
下の表４はMosstanol 120（登録商標）の典型的な組成を示す。
【００４９】
【表４】
0005748408.tif 000005
【００５０】
〔ＣＦＰＰ、引火点、及びセタン価の試験〕
下の表５は、ＣＦＰＰ、引火点、及びセタン価の試験で用いたブレンド物の組成及び燃料特性を記載している。
【００５１】
【表５】
0005748408.tif 000006
【００５２】
燃料ブレンド物Ａ〜Ｆの組成は、上の表２に示している。
【００５３】
図１〜３は、本発明のブレンド物Ｂ及びＤ〜Ｆと比較したベースブレンド物Ａの目詰まり点（cold filter plugging point, CFPP）、引火点、及びセタン価をグラフで示している。
【００５４】
かなりの改善が、高級アルコール類の添加によってＣＦＰＰに関して認められた。ベースブレンド物Ａ（ＰＭＥ：ＳＭＥ：ＧＴＬディーゼル＝９：２０：７０）のＣＦＰＰは、０．５％ｖ／ｖのMosstanol 120の添加で−２℃から−１２℃へ低下した。１％ｖ／ｖのMosstanol Pの添加は、同じベースブレンド物ＡのＣＦＰＰを−２℃から−１１℃に低下させ、さらに、５％ｖ／ｖの添加はＣＦＰＰを−１５℃に低下させた。図１を参照されたい。
【００５５】
高級アルコール類の添加は、燃料が６５℃の規格に適合できないところまで引火点を低下させない。ベースブレンド物への１％ｖ／ｖのMosstanol P（登録商標）の添加は、８９．５℃の引火点をもたらす。図２は、２種の高級アルコールブレンド物の添加について、引火点の影響を示す。
【００５６】
セタン価は、０．５〜３％ｖ／ｖのわずかな割合のアルコールの添加によって増加した。高セタン価は、ディーゼル車両性能に関して望ましい。０．５％のMosstanol P（登録商標）（炭素数５のアルコール類）の添加は、セタン価を５３．３から５４．９に上昇させる一方で、１％のMosstanol P（登録商標）の添加は、５３．３から５７．４へのセタン価の増加をもたらした。
【００５７】
ブレンド物Ｄは全ての現代のディーゼル燃料規格に適合し、以下の追加の利点を有することがわかった。
・ベースとなる場合を上回って報告された改善したＣＦＰＰ
・低減した、粒子状物質（Particulate Matter）、一酸化炭素、二酸化炭素、粒子状物質の排気口からの排出。Euro4車両排出規格に適合した。
・高級アルコール類を含むブレンド物の窒素酸化物排出は、これらのアルコールが存在しない類似のブレンド物よりも低かった。
・増加したセタン価
・低減したディーゼル泡立ち（容易なタンク充填）
・高価な低温流動性及びその他のディーゼル性能添加剤の添加の必要性の低下。
【００５８】
〔車両試験結果〕
試験は、南アフリカ・フォルクスワーゲン排気研究室で、Euro3及び4レベルでの制定された排気口からの排出試験法を用いて行った。試験車両は、オートマティックトランスミッションをもつフォルクスワーゲンJetta A5 1.9リットル TDi (77kW)だった。この車両は、Euro4レベルの排出物に準拠して製作された。ステーレンボッシュ自動車工業（Stellenbosch Automotive Engineering）(Pty) Ltd.のスタッフが独自に試験を行なった。
【００５９】
試験燃料はＣＥＣ基準ディーゼルと比較し、この燃料は各バッチの最初と最後に試験した。
【００６０】
下の表６は、この車両排出物試験で用いたブレンド物の組成及び燃料特性を示している。
【００６１】
【表６】
0005748408.tif 000007
【００６２】
燃料Ｈ−Ｎの排気試験の結果を図４〜７に示す。図中、排出物の低減を、Euro4タイプの排気試験に対して用いた標準ＣＥＣ基準ディーゼルに対してのパーセント増／減としてグラフにした。
【００６３】
各図について、Euro4の制限値とともに、試験したＣＥＣ基準ディーゼルの具体的排気についての実際の排出値（ｇ／キロメートル）を示している。
図４：ＣＥＣ基準燃料に対してＮＯｘは０．２５３ｇ／ｋｍであった。Euro4の制限値は０．２５ｇ／ｋｍである。
図５：ＣＥＣ基準燃料に対してＣＯは０．１２３ｇ／ｋｍであった。Euro4の制限値は０．５ｇ／ｋｍである。
図６：ＣＥＣ基準燃料に対してＣＯ２は１６７．３ｇ／ｋｍだった。
図７：ＣＥＣ基準燃料に対してＨＣ＋ＮＯｘは０．２７５ｇ／ｋｍだった。Euro4の制限値は０．３ｇ／ｋｍである。
図８：ＣＥＣ基準燃料に対してＰＭは０．０２６ｇ／ｋｍだった。Euro4の制限値は０．０２５ｇ／ｋｍである。
【００６４】
図４〜８に見ることができるとおり、顕著な車両排気口排気が、ＣＯ、ＰＭ、及びＣＯ２について記録された。高級アルコール類を含むブレンド物についてのＮＯｘ排出は、これらのアルコール類が存在しない類似のブレンド物よりも低かった。ＣＯ、ＰＭ、ＣＯ２、ＨＣ＋ＮＯｘに対するEuro4排気口排気は、上記所定の燃料ブレンド物について適合していた。
【図１】
0005748408.tif 000008
【図２】
0005748408.tif 000009
【図３】
0005748408.tif 000010
【図４】
0005748408.tif 000011
【図５】
0005748408.tif 000012
【図６】
0005748408.tif 000013
【図７】
0005748408.tif 000014
【図８】
0005748408.tif 000015